(57)【要約】      （修正有）【課題】留め具を外した際に自動的に開口部が開くとともに、その最大の開口状態が安定して保持され、収納物の取り出しが容易となる収納具を提供する。【解決手段】一対の対向する弾性変形部８を有する枠体を開口部６の周囲に沿って備え、留め具（ファスナー）によって開口部が閉じられた状態では、枠体は、開口部の長手方向両端部近傍に位置する弾性変形部がＵ字状に屈曲して２つに折り畳まれることによって、開口部を開方向に付勢しており、開口部が開放された状態では、枠体は、折り畳みが解消されるとともに開口部を押し広げて略平面上に維持する。枠体は、一対のワイヤー部材と一対の弾性部材とからなり、各弾性部材が２つのワイヤー部材の端部を係合することによって形成される。【選択図】図２
0003192688.tif 000002
【実用新案登録請求の範囲】
【請求項１】
収納空間を有し、当該収納空間の上部に設けられた開口部が留め具によって開閉可能な収納具であって、  一対の対向する弾性変形部を有する枠体を前記開口部の周囲に沿って備え、  前記留め具によって前記開口部が閉じられた状態では、前記枠体は、閉じられた前記開口部の長手方向両端部近傍に位置する前記弾性変形部がＵ字状に屈曲して２つに折り畳まれることによって、前記開口部を開方向に付勢しており、  前記開口部が開放された状態では、前記枠体は、前記折り畳みが解消されるとともに前記開口部を押し広げて略平面上に維持することを特徴とする収納具。
【請求項２】
前記弾性変形部がコイルバネである、請求項１に記載の収納具。
【請求項３】
前記枠体が、対称形状を有する一対のワイヤー部材と一対の弾性部材とからなり、各弾性部材が２つのワイヤー部材の端部を係合することによって枠体が形成されている、請求項１又は２に記載の収納具。
【請求項４】
前記ワイヤー部材が、略コの字又は弓状の形状を有する金属又は樹脂である、請求項３に記載の収納具。
【請求項５】
前記ワイヤー部材が略コの字の形状であり、それにより前記枠体が六角形状である、請求項４に記載の収納具。
【請求項６】
前記留め具がファスナーである、請求項１〜５のいずれか１に記載の収納具。
【請求項７】
前記収納空間を形成する収納具本体が、布、天然皮革、合成皮革、人工皮革、又はそれらの組み合わせから選択される材料よりなる、請求項１〜６のいずれか１に記載の収納具。
【考案の詳細な説明】
【技術分野】
【０００１】
本考案は、収納空間の上部に設けられた開口部が留め具によって開閉可能となっている収納具に関する。
【背景技術】
【０００２】
一般に、ファスナーなどによって開閉を行うカバンや小物入れにおいては、それらに収納される物を出し入れする際、ファスナーを開いたうえで、開口部を手で大きく広げなければならず、さらに、収納物の出し入れを行っている間、開口部を手で支えて広がった状態を維持する必要があった。かかる煩わしさを解消するため、自動的に開閉がなされるための付勢手段を備えたカバン等が種々提案されている。
【０００３】
例えば、特許文献１には、開口部の両端のマチ部分に針金状バネ部材を設けることによって、その開口部の開閉を容易にしたソフトバックが開示されている。また、特許文献２及び３には、収納空間内部の底面や側面にバネ性の板状部材を固定し、当該板状部材の復元力によって開口部が拡張され、当該拡張状態が維持されるようにしたカバンやポーチが開示されている。
【０００４】
【特許文献１】特開２００５−１３７７５８
【特許文献２】特開２００７−３１３１６２
【特許文献１】登録実用新案第３１８２０６４号公報
【考案の概要】
【考案が解決しようとする課題】
【０００５】
しかしながら、特許文献１のように両端が自由端となっている針金状バネをマチ部のみに用いた場合には、開閉動作を繰り返すうちにバック本体の布などを突き破るおそれがあり、また、開口部が多少開きやすくなるものの開口部全体を支持しているわけではないので、バックの中央部分の開口部が撓んでしまい、必ずしも開口状態が安定的に維持されるものではなかった。
【０００６】
一方、特許文献２及び３のように、バネ性の板部材を用いた場合には、開口状態をある程度維持し得る程度の力は得られるものの、カバン内部の底面や側面に板状部材が存在するため、収納物を出し入れする際に邪魔になったり、複数枚を設置する場合には加工が煩雑になる等の問題があった。
【０００７】
そこで、本発明は、かかる従来技術の課題に鑑み、留め具を外した際に自動的に開口部が開くとともに、その最大の開口状態が安定して保持されることによって、収納物の取り出しが容易となる収納具を提供することを目的とするものである。
【課題を解決するための手段】
【０００８】
上記の課題を解決するため、１つの態様において、本考案は、（１）収納空間を有し、当該収納空間の上部に設けられた開口部が留め具によって開閉可能な収納具であって、  一対の対向する弾性変形部を有する枠体を前記開口部の周囲に沿って備え、  前記留め具によって前記開口部が閉じられた状態では、前記枠体は、閉じられた前記開口部の長手方向両端部近傍に位置する前記弾性変形部がＵ字状に屈曲して２つに折り畳まれることによって、前記開口部を開方向に付勢しており、  前記開口部が開放された状態では、前記枠体は、前記折り畳みが解消されるとともに前記開口部を押し広げて略平面上に維持することを特徴とする収納具に関する。かかる構成では、一対の対向する弾性変形部を有する枠体を開口部に沿って配置しているので、開口部の開閉に伴ってその両端部近傍に位置する弾性変形部が屈曲することにより開口部を開く際の復元力が生じて自動的に開口することに加え、枠体が開口部全体を支持しているため開口部が略平面上に開いた状態を安定して維持することができる。
【０００９】
また、好ましい態様において、本考案は（２）前記弾性変形部がコイルバネである、上記（１）に記載の収納具；（３）前記枠体が、対称形状を有する一対のワイヤー部材と一対の弾性部材とからなり、各弾性部材が２つのワイヤー部材の端部を係合することによって枠体が形成されている、上記（１）又は（２）に記載の収納具；（４）前記ワイヤー部材が、略コの字又は弓状の形状を有する金属又は樹脂である、上記（３）に記載の収納具；（５）前記ワイヤー部材が略コの字の形状であり、それにより前記枠体が六角形状である、上記（４）に記載の収納具；（６）前記留め具がファスナーである、上記（１）〜（５）のいずれか１に記載の収納具；及び（７）前記収納空間を形成する収納具本体が、布、天然皮革、合成皮革、人工皮革、又はそれらの組み合わせから選択される材料よりなる、上記（１）〜（６）のいずれか１に記載の収納具を提供するものである。
【考案の効果】
【００１０】
本考案の収納具によれば、一対の対向する弾性変形部を有する枠体は、開口部が閉じられた状態では、当該枠体が２つに折り畳まれることによって開口部を開方向に付勢しているので、留め具を外すだけで自動的に開口部を開くことができる。それに加え、開口部の周囲に沿ってその全体が枠体に支持されているので、開口後にその中央付近が撓んだりすることなく、最大の開口状態を安定して保持することができる。これら両方の機能により、収納物を出し入れする際に、開口部を手で押し開く必要もなく、かつ開口後も開口部を手で支える必要がないので、収納物の出し入れが簡便であり、収納空間内を除いて収納部を確認する際も容易に視認できるという効果がもたらされる。
【００１１】
また、本考案の収納具では、上記のとおり開口部の付勢手段として枠体を用いているので、従来の針金状バネを用いた際のように弾性変形部分の両端が自由端となっていないので、枠体全体として高い復元力及び開口後の形状維持力を有しているとともに、開閉動作を繰り返すうちにバック本体の布などを突き破ったりするような不都合もない。さらに、枠体は開口部周辺に設置されるだけなので、収納空間の内部には通常の収納具と同様に何ら特別な部材や設計を施す必要がないため、収納物を出し入れする際に邪魔になったりすることもない。上記のように１つの枠体により高い復元力及び形状維持力を発揮できるので、収納具の複数箇所に付勢手段を設置する必要がないから、収納具の美観を損なうこともなく、その加工も容易である。
【図面の簡単な説明】
【００１２】
【図１】図１は、本考案の実施形態に係る収納具において留め具を閉じた状態を示した斜視図である。
【図２】図２は、図１の収納具において留め具を全開にして開口した状態を示した斜視図である。
【図３】図３は、収納具の開口部が閉じられた図１の状態における枠体の構造を示した斜視図である。
【図４】図４は、収納具の開口部が開けられた図２の状態における枠体の構造を示した斜視図である。
【考案を実施するための形態】
【００１３】
以下、本考案を実施するための好ましい形態を、図面を参照して説明するが、下記の態様に何ら限定されるものではない。
【００１４】
図１及び２は、本考案の代表的な実施形態に係る収納具１の全体を示すものである。図１は、収納具１において留め具を閉じた状態を示した斜視図であり、図２は、収納具１において留め具を全開にして開口した状態を示した斜視図である。図３及び４は、収納具１の開口部の周囲に沿って設けられている枠体の構造を示すものであり、図３は収納具の開口部が閉じられた状態（図１）における枠体の折り畳み構造、図４は収納具の開口部が開けられた状態（図２）における枠体の略平面構造を示した図である。
【００１５】
収納具１の本体は、互いに対向する側面部２ａ及び２ｂと、マチ部３ａ及び３ｂと、底面部４を有し、これらにより収納空間５が形成されている。当該本体の材料は、開口部を開閉できるような柔軟性を有するものであれば任意の素材を用いることができ、例えば、天然繊維（木綿など）や合成繊維（ナイロンやポリエステルなど）からなる布生地、或いは、天然皮革、合成皮革、人工皮革を用いることもできる。また、これら材料の任意の組み合わせとすることもできる。例えば、外部と接する外表面を合成繊維とし、収納部と接する内表面（裏地）を布製としたり；或いは、側面部を布製とし、マチ部を合成繊維とした組み合わせとすることもできる。
【００１６】
なお、上記では、図１及び２に示された代表的態様を説明するために側面部とマチ部とを区別して記載したが、収納具１の本体及び／又は収納空間５は、必ずしも直方体の形状である必要はなく、円筒形（すなわち、底面部が円や楕円のもの）など、収納性やデザイン性を考慮して任意の形状としてもよい。
【００１７】
収納具１の本体の上端部には、マチ部２ａから側面部２ａ及び２ｂを経てマチ部２ｂまで長手方向に沿って延在する開口部６を有しており、当該開口部６は留め具であるファスナー７によって開閉することができる。ファスナー７は、マチ部２ａから２ｂまで開口部全体に渡って設けられている。開口部６の長手方向の長さは、底面部４の長手方向の長さと同一であることもできるし、収納部の出し入れを容易にする等のために、底面部４の長手方向の長さより長くすることもできる。
【００１８】
ファスナー７は、当ダブルファスナー又はシングルファスナーのいずれであってもよい。また、ファスナー以外の留め具を用いてもよい、そのような留め具としては、当該技術分野において公知のものを用いることができるが、例えば、スナップボタンやホックを挙げることができ、その場合、開口部の中央部１箇所或いは複数箇所に設けることで開口部を留めるようにすることもできる。
【００１９】
開口部６の下部近傍には、ファスナー７が開けられることに伴い開口部６が自動的に開くようにするための付勢手段として、開口部６の外周に沿って（好ましくは、開口部６の下部近傍において）図３及び４に示す枠体１１が設けられている。枠体１１は、一対のワイヤー部材１２と一対の弾性部材１３とからなり、各弾性部材１３が２つのワイヤー部材１２の端部を係合することによって枠体が形成されている。ここで、弾性部材１３が、図２における弾性変形部８に相当する。枠体１１は、任意の手段によって開口部の近傍の側面部２ａ、２ｂ及びマチ部３ａ、３ｂに設置することができる。代表的な例としては、図のように、側面部２ａ及び２ｂと裏地との間に、開口部６の両端（マチ部３ａから３ｂの間）に至る孔を設け、そこに枠体１１を通すことによって枠体１１を本体と一体化することができる。この場合、枠体１１は、本体に完全に固定されているわけではないので、ワイヤー部材１２と弾性部材１３の係合を外すことによって、自由にワイヤー部材１２を抜き差しできる点で有利である。また、別の手段としては、複数箇所においてワイヤー部材１２を側面部２ａ等に縫い付けて固定することも可能である。
【００２０】
図１のように開口部６がファスナー７によって閉じられている状態では、枠体１１は、図３に示すように、開口部６の長手方向両端部近傍に位置する弾性変形部８（弾性部材１３）が
Ｕ字状に屈曲して２つに折り畳まれた状態になる。これにより、開口部の開方向に付勢力が働いている。
【００２１】
そして、ファスナー７を開けると、上記枠体による付勢力によって図２のように開口部６が略平面上になるまで自動的に開き、その状態を維持することができる。これは、ファスナー７を閉じた状態では図３のように折り畳まれていた枠体が、弾性変形部８の復元力によって図４のように本来の形状、すなわち、外力が及んでいないときの形状に戻るためである。
【００２２】
このように、本考案の収納具１では、弾性変形部８（弾性部材１３）を有する枠体１１の復元力を用いることによって、ファスナー７を開けるだけで自動的に開口部６が開くことができ、かつ、枠体１１が開口部６全体を支持しているため開口した後も開口部６が略平面上となった状態（最大に開口した状態）を保持することができるのである。このため、収納物の出し入れが容易となるだけでなく、手で開口部を開かずとも収納空間５の中を見やすいという利点も提供する。これに対し、枠体１１を用いずに、単に弾性変形し得る部材を開口部６の両端に設置しただけの場合には、弾性部材の両端が自由端であるため復元形状が定まらず、また復元力も開口部６の端部周辺にしか働かないため、側面部側面部２ａ及び２ｂの中央部分で開口部６の撓みが生じるなどし、開口部６全体を略平面上に維持することは難しい。
【００２３】
枠体１１を構成するワイヤー部材１２は、上記のように開口部６全体を支持する必要があり、また、開口部６が閉じている際に収納具本体から受ける抵抗力によって塑性変形しない必要があるので、ある程度の剛性を有する部材であることが好ましい。そのような剛性を有するものであれば、金属又は樹脂であることができる。また、弾性部材８と端部で係合する点を考慮すると、針金状のものであることが好ましい。
【００２４】
ワイヤー部材１２の形状については、図３及び４では略コの字型の形状として示されているが、開口部の形状等に応じて他の形状とすることもでき、例えば、弓状の形状とすることもできる。枠体１１を構成する２つのワイヤー部材が対称形状を有することが望ましい。すなわち、ワイヤー部材１２が略コの字の形状である場合、枠体１１は略矩形又は六角形の形状となるが、開口部６が閉じる際の枠体１１の折れ曲がりやすさを考慮すると、枠体１１が六角形の形状となることが好ましい。また、かかる形状は、開口状態における開口部６の形状を安定に維持するためにも好ましい。
【００２５】
枠体１１を構成する弾性部材１３は、コイルバネであることが好ましい。弾性部材１１の弾性力の強度については、収納具の本体を構成する素材等の性能にも依存するが、ファスナー等の留め具により開口部６が閉じる際に破損せずにＵ字状に屈曲することができ、かつ、留め具が外されて開口部６が開く際に十分な付勢力（復元力）が働くような強度であることが好ましい。
【００２６】
弾性部材１３の長さ（すなわち、弾性部材８の長）は、収納具全体の形状等によっても適宜調整する必要はあるが、代表的には、弾性部材１３が３５ｍｍ程度であり、弾性部材１３とワイヤー部材１２の係合により重複する部分は１０ｍｍ程度であることが好ましい。弾性部材１３の弾性力が十分に機能するためには、弾性部材１３単独部分の長さが２５ｍｍ程度であることが好ましいからである。
【００２７】
また、図２に示されているように、弾性変形部８が外部に露出する場合には、美観を損なわないために、弾性部材１３を修飾部材で被覆することもできる。そのような修飾部材としては、中空のスピンドル紐が好ましい。スピンドル紐は、ある程度柔軟性があるため弾性部材１３が屈曲した場合等でも被覆状態を維持することができる。
【００２８】
以上、本発明の実施形態の例を図面に基づき説明したが、本発明は、上述の態様に限定されるものではなく、その趣旨を逸脱しない範囲で種々の変更が可能である。例えば、デザイン性等に観点から収納具本体部又は開口部付近の形状等を適宜変更可能であることは、当業者には明らかであろう。
【符号の説明】
【００２９】
１    収納具  ２ａ，２ｂ    側面部  ３ａ，３ｂ    マチ部  ４    底面部  ５    収納空間  ６    開口部  ７    ファスナー  ８    弾性変形部  １１  枠体  １２  ワイヤー部材１２  １３  弾性部材
【図１】
0003192688.tif 000003
【図２】
0003192688.tif 000004
【図３】
0003192688.tif 000005
【図４】
0003192688.tif 000006